(57)【要約】【課題】上下一対の端板に湾曲反射板を固定するにあたり、湾曲反射板を容易かつ確実に前記特定曲線を維持すること【解決手段】湾曲反射板に横断視中心部に上下方向に山状リブを形成し、前記山状リブと係止する突起を、上下一対の端板に互いに対向させて形成し、湾曲反射板の山状リブの下端部および上端部を上下一対の端板の突起と係止させることで、湾曲反射板の横断視中心部と上下一対の端板との相対位置を特定することを特徴とする輻射式電気ストーブ。【選択図】図６
2004053110.tif 000002
【特許請求の範囲】
【請求項１】
棒状の発熱体と、上下一対の端板と、湾曲反射板とを有する輻射式電気ストーブにおいて、
湾曲反射板に横断視中心部に山状リブを形成し、
前記山状リブと係止する突起を、上下一対の端板に互いに対向させて形成し
湾曲反射板の山状リブの下端部および上端部を上下一対の端板の突起と係止させることで、湾曲反射板の横断視中心部と上下一対の端板との相対位置を特定したことを特徴とする輻射式電気ストーブにおける湾曲反射板の固定構造。
【発明の詳細な説明】
【０００１】
【発明の属する技術分野】
本願発明は、棒状の発熱体と、上下一対の端板と、湾曲反射板とを有する輻射式電気ストーブに関し、特に湾曲反射板に対し端板の構造に関するものである。
【０００２】
【従来の技術】
この種の輻射式電気ストーブ、例えば、特開平９−４２６８４号「電気ストーブ」においては、横断面視で、湾曲反射板の形状を棒状の発熱体を中心とする特定曲線とすることで、輻射熱線方向をストーブ前面の特定範囲とすることで、暖房効果を高めている。
【０００３】
【発明が解決しようとする課題】
本願発明は、上下一対の端板に湾曲反射板を固定するにあたり、湾曲反射板を容易かつ確実に前記特定曲線を維持することを課題とする。
【０００４】
【課題を解決するための手段】
本願発明は、湾曲反射板に横断視中心部に上下方向に山状リブを形成し、前記山状リブと係止する突起を、上下一対の端板に互いに対向させて形成し、湾曲反射板の山状リブの下端部および上端部を上下一対の端板の突起と係止させることで、湾曲反射板の横断視中心部と上下一対の端板との相対位置を特定したことを特徴とする輻射式電気ストーブを提供する。
【０００５】
【発明の実施の形態】
本願発明は、横断視中心部に上下方向に山状リブを形成し両側端部に上下方向に折曲げ片を形成した湾曲反射板と、前記山状リブの下端部と係止する突起及び前記折曲げ片の下端部と係止する上向き突片とを形成した下端板と、前記山状リブの上端部と係止する突起及び前記折曲げ片の上端部と係止する上向き突片とを形成した上端板とを設ける。湾曲反射板は、横断視中心部が上下一対の端板形成した突起と上端および下端で係合させる。
【０００６】
【実施例】
以下図面に示す実施例にもとづいて、本願発明を詳細に説明する。
図９及び図１０は、輻射式電気ストーブＡの大要を示し、１は棒状の発熱体、２は湾曲反射板、３は上方および下方の端板、４は外ケース、５は支持台、６は前面保護棒である。
【０００７】
図１ないし図４を参照して、本願発明の要部である湾曲反射板２を説明する。
湾曲反射板２の横断視中心部に上下方向に山状リブ７を形成する。湾曲反射板２の両側端部の延長端部を折返して上下方向折曲げ片８を形成する。山形リブ７と上下方向折曲げ片８との間に形成される湾曲反射面９は左右対称形状である。
【０００８】
図５ないし図８を参照して、本願発明の他の要部である端板３を説明する
組立状態で、前記湾曲反射面９の横断視中心部の前記山状リブ７の下端部と係止する上向き／下向きの突起１０を形成する。湾曲反射板２の両側端部の延長端部で形成される前記折曲げ片８の下端部／上端部と係止する上向き／下向きの突片１１を形成する。更に、中間部の湾曲反射面９の上端／下端と係止する延長突片１２を設ける。
【０００９】
図５を参照して、湾曲反射板２は、横断視中心部はその上端および下端においてが山状リブ７が上方の端板３の突起１０および下方の端板３の突起１０と係止することで、横断視中心部の位置が決定（規制）される。したがって、湾曲反射板２の左右中心線が常に一定位置に維持されることとなる。
【００１０】
湾曲反射板２の両側部は、折曲げ片８の下端部および上端部は、上方の端板３の上向きの突片１１と下方の端板３の上向きの突片１１と係止することで、両側端の位置が決定（規制）される。したがって、湾曲反射板２の側端縁が常に一定位置に維持されることとなる。組立作業に際して爪１３の折曲げにより折曲げ片８と突片１１とを固定することで、湾曲反射板２の側端縁を端板３に固定する。
【００１１】
更に、上方／下方の端板３の延長片１２は、湾曲反射面９の曲面部の上端／下端の外面（または内面）と係止することで、湾曲反射板２の曲面部の設定曲面よりの変形を阻止する。
湾曲反射面９の湾曲形状について、ストーブ前面の所望される暖房範囲に応じて反射方向を特定すべく適宜の湾曲曲線の合成曲線に形成されるものであるが、図２の実施例においては、６０ｍｍの曲面と半径５０ｍｍの曲面との合成曲面とする。
【００１２】
実施例においては、棒状の発熱体１を挿通するための貫通孔１４を形成すべく、前半部３Ａと後半部３Ｂとに分離して構成した。また、突起１０は、図　　を参照して、切起こし加工により形成したので、切り起こし穴１５が存在している。
【００１３】
部品組立に際しては、湾曲反射板２の横断視中心部に形成した上下方向の山状リブ７を、その上端および下端において、上方および下方の端板の突起１０と係止させることで、湾曲反射板２の横断視中心位置が簡単に特定される。従って、高度の熟練度を有しない作業者による組立作業を可能とする。
【００１４】
【発明の効果】
本願発明は、上述のごとく、横断視中心部に上下方向に山状リブを形成し、該山状リブの上端／下端と係止する突起を上下一対の端板に形成したから、湾曲反射板の山状リブの下端部および上端部を上下一対の端板の突起と係止させることで、湾曲反射板の横断視中心部と上下一対の端板との相対位置を、簡単かつ確実に特定するものである。従って、高度の熟練度を有しない作業者による組立作業を可能とするとともに、設計湾曲度を確実に維持してストーブ全面の設計範囲の効果的暖房を長期に維持できる効果を有するものである。
【図面の簡単な説明】
【図１】湾曲反射板の斜視図
【図２】同じく横断面図
【図３】同じく正面図
【図４】同じく側面図
【図５】本発明の実施例を示す輻射式電気ストーブの要部を示す縦断面図
【図６】同じく横断面図
【図７】端板の平面図
【図８】同じく背面図
【図９】同じく側面
【図１０】同じく要部を示す部分斜視図
【図１１】輻射式電気ストーブの斜視図
【図１２】同じく縦断面図
【符号の説明】
Ａ　　輻射式電気ストーブ
１　　棒状の発熱体
２　　湾曲反射板
３　　端板
７　　山状リブ
８　　上下方向折曲げ片
９　　湾曲反射面
１０　　突起
１１　　突片
１２　　延長突片
【図１】
2004053110.tif 000003
【図２】
2004053110.tif 000004
【図３】
2004053110.tif 000005
【図４】
2004053110.tif 000006
【図５】
2004053110.tif 000007
【図６】
2004053110.tif 000008
【図７】
2004053110.tif 000009
【図８】
2004053110.tif 000010
【図９】
2004053110.tif 000011
【図１０】
2004053110.tif 000012
【図１１】
2004053110.tif 000013
【図１２】
2004053110.tif 000014